(57)【要約】【課題】  セロファン袋で包装された携帯爪楊枝のような薄く滑りやすい商品を、外装袋内に縦に並べて確実に固定する。台板への商品の取付けや台板からの商品の取り外しを容易にする。【解決手段】  包装袋１３に収容された複数の商品１０を、縦に長い外装袋２０内に台板３０により支持する。台板３０には、複数の商品１０のうちの少なくとも一つを底側から支持する切り起こし式の第１係止片３４と、複数の商品１０のうちの少なくとも一つに対して、包装袋１３の開口部を閉止する粘着タイプの蓋部１５を閉止側へ折り倒したときに折曲部と粘着部１４との間に形成される袖部１６に側方から挿入される舌状の第２係止片３５とを設ける。袖部１６を利用する第２係止片３５により、包装袋１３を縦方向で固定することにより、滑りやすい商品についても、外装袋２０内に縦に並べて確実に固定される。【選択図】  図１
2005082182.tif 000002
【特許請求の範囲】
【請求項１】
包装袋で包装された複数の商品を、縦に長い外装袋内に縦に並べて収容するのに用いられる商品包装構造であって、複数の商品を外装袋内に支持するために外装袋内に収容される短冊状の台板を備えており、複数の商品のうちの少なくとも一つを底側から支持する切り起こし式の第１係止片を前記台板に設けると共に、複数の商品のうちの少なくとも一つに対して、包装袋の開口部を閉止する粘着タイプの蓋部を閉止側へ折り倒したときに折曲部と粘着部との間に形成される袖部に側方から挿入されて、当該商品を縦方向で支持する舌状の第２係止片を、前記台板の一方の側縁部に設けた商品包装構造。
【請求項２】
前記商品は、所定の重なりをもって縦方向に配列される請求項１に記載の商品包装構造。
【請求項３】
前記外装袋は吊り下げ式である請求項１に記載の商品包装構造。
【発明の詳細な説明】
【技術分野】
【０００１】
本発明は、包装袋で包装された複数の商品を、縦に長い外装袋内に縦に並べて収容するのに用いられる商品包装構造に関し、更に詳しくは、セロファン袋で包装された携帯爪楊枝のような滑り易い商品を縦に並べて包装するのに適した商品包装構造に関する。
【背景技術】
【０００２】
わが国では、爪楊枝（つまようじ）と言えば断面が円形の丸棒状のものを指すが、これは欧米ではカクテルピックと呼ばれ、料理や食べ物を突き刺すのに使用される。高齢化社会を迎え、歯の大切さを熟知している北欧では、歯科医が推奨する「三角ようじ」が歯間ようじとして多く使われている。
【０００３】
「三角ようじ」は少なくとも先端部が三角形に形成された爪楊枝であり、２辺で歯間に詰まった異物を効果的に除去できると共に、残る１辺で歯茎をマッサージできる特徴がある（非特許文献１参照）。
【０００４】
【非特許文献１】日刊工業新聞（平成１５年６月１日版２８面）
【０００５】
近時、わが国でもこの「三角ようじ」の重要性が認識され始め、様々な形態で販売が始まっているが、その販売形態の一つとして、携帯爪楊枝がある（図４参照）。これは、携帯マッチによく似た薄い紙ケースに１０本前後の「三角ようじ」を収容したもので、小さく薄いために携帯性に優れており、ノベルティ商品としても人気を博している。
【０００６】
近時、この携帯爪楊枝に関し、３個を１組として販売する企画が持ち上がり、包装形態を種々検討した。包装形態に要求される事項は次のとおりである。
【０００７】
販売店におけるスペースを小さくするために、縦に長い透明な吊り下げ式の外装袋内に３個の商品を縦に並べて収容する。外装袋内に商品を固定するために短冊状の台板を用いるのはよいが、その台板に商品を貼りつけることは避ける。台板に商品を貼りつけると、確実な固定が可能なものの、剥がすときに商品が傷つくおそれがあり、貼りつけ及び引き剥がしに手間もかかる。
【０００８】
このような要求事項を考慮すると、台板に切り起こし片を設けて商品を下から支持することが有効である。ところが、携帯爪楊枝は衛生上、１つずつ四角形の透明な包装袋（セロファン袋）に収容されている（図３参照）。このため、外装袋内で商品が滑り易く、厚みが僅かであることと相まって、運搬時等に商品が外装袋内で移動しやすい。特に、３個の商品を所定の重なりを持って並べる場合に、この傾向は顕著である。このため、商品が切り起こし片から容易に外れ、吊り下げたときに下に偏る問題がある。
【発明の開示】
【発明が解決しようとする課題】
【０００９】
本発明の目的は、携帯爪楊枝のような薄く滑りやすい商品についても、外装袋内に縦に並べて確実に固定でき、しかも台板への取付けや台板からの取り外しも容易な商品包装構造を提供することにある。
【課題を解決するための手段】
【００１０】
上記目的を達成するために、本発明の商品包装構造は、包装袋で包装された複数の商品を、縦に長い外装袋内に縦に並べて収容するのに用いられる商品包装構造であって、複数の商品を外装袋内に支持するために外装袋内に収容される短冊状の台板を備えており、複数の商品のうちの少なくとも一つを底側から支持する切り起こし式の第１係止片を前記台板に設けると共に、複数の商品のうちの少なくとも一つに対して、包装袋の開口部を閉止する粘着タイプの蓋部を閉止側へ折り倒したときに折曲部と粘着部との間に形成される袖部に側方から挿入されて、当該商品を縦方向で支持する舌状の第２係止片を、前記台板の一方の側縁部に設けたものである。
【発明の効果】
【００１１】
本発明の商品包装構造は、台板に設けた切り起こし形式の第１係止片により各商品の包装袋を底側から支持するだけでなく、包装袋の開口部を閉止する粘着タイプの蓋部を閉止側へ折り倒したときに折曲部と粘着部との間に形成される袖部を利用し、その袖部に側方から挿入される舌状の第２係止片により、包装袋を縦方向で固定する。これにより、セロファン袋で包装された携帯爪楊枝のような滑りやすい商品についても、外装袋内に縦に並べて確実に固定できる。
【００１２】
更に、滑りが特に生じやすい外装袋が吊り下げ式の場合や、複数の商品が重なりをもって配列される場合についても、その滑りを確実に防止することができる。
【００１３】
しかも、台板への取付けや台板からの取り外しが容易である。更に、取り外しの際に包装袋を傷つける危険もない。
【発明を実施するための最良の形態】
【００１４】
以下に本発明の実施形態を図面に基づいて説明する。図１は本発明の一実施形態を示す包装物の斜視図、図２はその実施形態に用いられた台板の斜視図、図３は商品の斜視図、図４は包装袋から取り出した商品の斜視図である。
【００１５】
本実施形態の商品包装構造は、図１に示すように、縦に長い透明な外装袋２０内に、台板３０を用いて３個の商品１０を縦に並べて収容するのに使用されている。
【００１６】
商品１０は、ここでは携帯爪楊枝である。携帯爪楊枝は、図３及び図４に示すように、長方形の蓋付き紙ケース１１内に複数本の三角ようじ１２を収容し、これを透明な包装袋１３に収容した構造である。複数本の三角ようじ１２は、先端部を除く部分で横に繋がり、使用時に１本ずつ分離される。包装袋１３は、セロファンからなる長方形の薄い袋体であり、蓋部１４を裏面側へ折り倒し、粘着剤が塗布された粘着部１５を貼りつけることにより、開口部が閉止される。
【００１７】
外装袋２０は、セロファンからなる縦に長い吊り下げ式の袋体であり、上端部が吊り下げ部２１、下端部が蓋部２２により閉止される開口部である。蓋部２２は、前記蓋部１４と同様に、裏面側へ折り倒され、粘着部を貼りつけることにより、開口部を閉止して底部を形成する。
【００１８】
台板３０は、図２に示すように、縦に長い短冊状の板紙からなり、商品１０の横幅とほぼ同じ横幅とされている。台板３０の上端部は正面側へ折り倒されて表示部３１を形成すると共に、その下端部が裏面側へほぼ直角に折り曲げられることにより最上段の係止部３２を形成している。台板３０の下端部は正面側へ折り倒されて最下段の係止部３３を形成している。
【００１９】
台板３０の係止部３２，３３間には、円弧状のスリットにより形成された２つの切り起こし式の第１係止片３４，３４が２段に設けられている。上段の第１係止片３４は、１段目の商品１０を下方（底側）から支持する切り起こし片であり、その商品１０を前記係止部３２と共同して保持する。下段の第１係止片３４は、２段目の商品１０を下方（底側）から支持する切り起こし片であり、１段目の商品１０に若干重なった状態に２段目の商品１０を支持する。３段目の商品１０は、前述した係止部３３により２段目の商品１０に若干重なった状態に支持される。
【００２０】
台板３０の一方の側縁部には、側方へ舌状に延びる第２係止片３５が３段に設けられている。３段の第２係止片３５，３５，３５は、いずれも台板３０の表面に沿うように表面側へ折り倒されている。
【００２１】
１段目の第２係止片３５は、最上段の係止部３２と上段の第１係止片３４との間に支持された１段目の商品１０に係合してこれを支持する。具体的には、１段目の商品１０を包装する包装袋１３の蓋部１４を裏面側へ折り倒したときに上端部と粘着部１５との間に形成される袖部１６（図３参照）に側方から挿入されて１段目の商品１０を支持する。
【００２２】
同様に、２段目の第２係止片３５は、下段の第１係止片３４に支持された２段目の商品１０の袖部１６に側方から挿入されて、これを支持し、３段目の第２係止片３５は、最下段の係止部３３に支持された３段目の商品１０の袖部１６に側方から挿入されて、これを支持する。
【００２３】
本実施形態の商品包装構造によると、外装袋２０内に３段に収容された商品１０，１０，１０のうち、１段目の商品１０は、最上段の係止部３２と上段の第１係止片３４との間に支持されると共に、１段目の第２係止片３５が包装袋１３の袖部１６に側方から挿入されることによっても縦方向で支持される。
【００２４】
２段目の商品１０については、上段の第１係止片３４により下方から支持されると共に、２段目の第２係止片３５が包装袋１３の袖部１６に側方から挿入されることにより縦方向で支持される。この商品１０は、薄い上に、１段目の商品１０に重なり、しかも、包装袋１３に入っているため、非常に滑り易く、第１係止片３４による支持だけだと運搬時等に上方へ移動し易い。しかし、第２係止片３５による支持のために、縦方向で確実に固定され、移動が防止される。
【００２５】
３段目の商品１０については、最下段の係止部３３により下方から支持されると共に、３段目の第２係止片３５が包装袋１３の袖部１６に側方から挿入されることにより縦方向で支持される。この商品１０も、薄い上に、２段目の商品１０に重なり、しかも、包装袋１３に入っているため、非常に滑り易く、係止部３３による支持だけだと運搬時等に上方へ移動し易い。しかし、第２係止片３５による支持のために、縦方向で確実に固定され、移動が防止される。
【００２６】
このように、本実施形態の商品包装構造によると、第２係止片３５による支持のために、３段に収容された商品１０，１０，１０、特に上方からの支持がない２段目、３段目の商品１０，１０についても、上下方向で効果的に支持され、外装袋２０内で下方へ偏る事態が回避される。また、差し込みによって商品１０を固定できるため、台板３０への商品１０の取付けや台板３０からの商品１０の取り外しが容易であり、取り外したときの跡も商品１０に残る危険がない。
【００２７】
商品１０の収容段数は、本実施形態では３段であるが、２段又は４段以上でもよい。
【００２８】
第１係止片３４は、最下段の商品１０を除く商品１０に対して設けられているが、全段の商品１０に対して設けることもできる。
【００２９】
第２係止片３５は、全段の商品１０に対して設けられているが、最上段の係止部３２による上方からの支持を期待できる１段目の商品１０に対しては省略することも可能である。
【図面の簡単な説明】
【００３０】
【図１】本発明の一実施形態を示す包装物の斜視図である。
【図２】その実施形態に用いられた台板の斜視図である。
【図３】商品の斜視図である。
【図４】包装袋から取り出した商品の斜視図である。
【符号の説明】
【００３１】
１０  商品
１３  包装袋
１４  蓋部
１５  粘着部
１６  袖部
２０  外装袋
３０  台板
３２，３３  係止部
３４  第１係止片
３５  第２係止片
【図１】
2005082182.tif 000003
【図２】
2005082182.tif 000004
【図３】
2005082182.tif 000005
【図４】
2005082182.tif 000006